(57)【要約】【課題】公営競技場やその近辺の予想情報提供者の情報を電子データ化して、遠隔地においてもリアルタイムに予想情報提供者の情報を提供することができるようにすること。【解決手段】公営競技情報を蓄積するホスト１ａからの競技の開催情報と予想情報提供者からの予想情報とを集約する情報集計サーバ２と、前記情報集計サーバ２と接続され予想情報提供者の予想情報を提供する予想情報提供端末４ａ、５ａを備える。【選択図】        図１
2006085532.tif 000002
【特許請求の範囲】
【請求項１】
公営競技情報を蓄積するホストからの競技の開催情報と予想情報提供者からの予想情報とを集約する情報集計サーバと、
前記情報集計サーバと接続され予想情報提供者の予想情報を提供する予想情報提供端末を備えることを特徴とする予想情報提供システム。
【請求項２】
前記予想情報提供端末を遠隔地又は複数箇所に設けて予想情報提供者の情報を提供することを特徴とする請求項１記載の予想情報提供システム。
【請求項３】
前記予想情報提供端末のステータス情報を前記情報集計サーバへ送信することを特徴とする請求項１又は２記載の予想情報提供システム。
【請求項４】
前記情報集計サーバは、前記予想情報提供端末からの予想情報提供者の情報と前記ホストから取得した取り消し又は除外情報が一致した時、前記予想情報提供端末に該一致した予想情報の提供を停止する通知を行うことを特徴とする請求項１〜３のいずれかに記載の予想情報提供システム。
【請求項５】
前記予想情報提供端末からの予想情報提供者の情報と同時に付加価値情報を提供することを特徴とする請求項１〜４のいずれかに記載の予想情報提供システム。
【発明の詳細な説明】
【技術分野】
【０００１】
本発明は、公営競技（例えば、競馬／競輪／競艇／オートレース）の競技場やその近辺の複数の予想情報提供者が提供する情報を遠隔地及び複数箇所で販売及び提供するための予想情報提供システムに関する。
【背景技術】
【０００２】
従来、一般的に公営競技の予想情報は一般スポーツ紙、専門誌、公営競技場やその近辺の予想屋、Ｗｅｂ（ウエブ）予想などの独自予想を有料（一部無料）で販売している。しかし、その中の公営競技場やその近辺の予想屋情報は一般のスポーツ紙、専門誌とは異なり公営競技場やその近辺でしか入手出来ない。また公営競技場やその近辺の予想屋情報はレース直前情報を入手して予想をしているため、リアルタイムな予想情報を販売及び提供している。
【０００３】
また、従来、レース予想情報売買システムとして、情報提供者がレース結果の予想情報を入力して格納し、レース後、予想情報の当たり外れに応じて、情報提供者の評価情報を作成し、次回以降の情報利用者に対し予想情報購入前に予想情報の情報提供者の識別情報と評価情報を提示するものがあった（特許文献１参照）。
【０００４】
さらに、従来、公営競技における予想情報販売・情報収集システムとして、開催場の予想屋毎の予想情報を収集して予想情報収集コンピュータに蓄積しておき、全国の場間場外や専用場外などに設置してある予想情報販売コンピュータに配信して、場外発売場のファンに予想情報を提供するものがあった（特許文献２参照）。
【特許文献１】特開２００２−１０９１２１号公報
【特許文献１】特開２００３−１０８７０１号公報
【発明の開示】
【発明が解決しようとする課題】
【０００５】
上記従来のレース予想情報売買システム及び公営競技における予想情報販売・情報収集システムでは、競馬・競輪・競艇・オートレースなどの公営競技において投票券の発売・支払・オッズ（概算配当率）の表示などを行うコンピュータシステムであるトータリゼータシステム（ホスト）からの開催情報を集約し、予想情報提供端末でレース進行状態等に応じて予想情報を提供できるものではなかった。
【０００６】
本発明は、公営競技場やその近辺の複数の予想情報提供者が提供する情報を遠隔地及び複数箇所でレースの進行状態に対応して販売及び提供できるようにすることを目的とする。
【課題を解決するための手段】
【０００７】
図１は本発明の原理説明図である。図１中、１ａはホスト、２は情報集計サーバ、３は予想情報入力端末、４ａ、５ａは予想情報提供端末、６はネットワークである。
【０００８】
本発明は、上記の課題を解決するため次のように構成した。
【０００９】
（１）：公営競技情報を蓄積するホスト１ａからの競技の開催情報と予想情報提供者からの予想情報とを集約する情報集計サーバ２と、前記情報集計サーバ２と接続され予想情報提供者の予想情報を提供する予想情報提供端末４ａ、５ａを備える。このため、公営競技場やその近辺の予想情報提供者の情報を電子データ化して販売、提供するため、遠隔地においてもリアルタイムに予想情報提供者の情報を提供することができる。
【００１０】
（２）：前記（１）の予想情報提供システムにおいて、前記予想情報提供端末４ａ、５ａを遠隔地又は複数箇所に設けて予想情報提供者の情報を提供する。このため、公営競技場やその近辺の一箇所で販売及び提供されていた予想情報提供者の情報を遠隔地及び複数箇所で販売及び提供することで予想情報取得者の情報取得機会を拡大することができる。
【００１１】
（３）：前記（１）又は（２）の予想情報提供システムにおいて、前記予想情報提供端末４ａ、５ａのステータス情報を前記情報集計サーバ２へ送信する。このため、予想情報提供端末から集計された販売枚数、売上金額等のステータス情報を情報集計サーバに送信することによって遠隔地の複数箇所の予想情報自動出力端末の情報を集計することができ、販売の管理を容易に行うことができる。
【００１２】
（４）：前記（１）〜（３）の予想情報提供システムにおいて、前記情報集計サーバ２は、前記予想情報提供端末４ａ、５ａからの予想情報提供者の情報と前記ホスト１ａから取得した取り消し又は除外情報が一致した時、前記予想情報提供端末４ａ、５ａに該一致した予想情報の提供を停止する通知を行う。このため、除外・取消により予想情報が意味を持たないものになった時、予想情報提供者の情報を入手できなくでき、意味を持たない予想情報の販売を防止できる。
【００１３】
（５）：前記（１）〜（４）の予想情報提供システムにおいて、前記予想情報提供端末４ａ、５ａからの予想情報提供者の情報と同時に付加価値情報を提供する。このため、予想情報に抽選ロト、おみくじ情報、豆知識情報、広告情報等の付加価値情報をつけることにより、予想券の持つ価値を向上させることができ、予想情報取得者に複数のサービスを同時に提供することができる。
【発明の効果】
【００１４】
本発明によれば次のような効果がある。
【００１５】
（１）：情報集計サーバでホストからの競技の開催情報と予想情報提供者からの予想情報とを集約し、予想情報提供端末で予想情報提供者の予想情報を提供するため、公営競技場やその近辺の予想情報提供者の情報を電子データ化して販売、提供でき、遠隔地においてもリアルタイムに予想情報提供者の情報を提供することができる。
【００１６】
（２）：遠隔地又は複数箇所に設けた予想情報提供端末で予想情報提供者の情報を提供するため、従来、公営競技場やその近辺の一箇所で販売及び提供されていた予想情報提供者の情報を遠隔地及び複数箇所で販売及び提供することで予想情報取得者の情報取得機会を拡大することができる。
【００１７】
（３）：予想情報提供端末のステータス情報を情報集計サーバへ送信するため、遠隔地の複数箇所の予想情報提供端末の販売枚数、売上金額等のステータス情報を集計することができ、販売の管理を容易に行うことができる。
【００１８】
（４）：情報集計サーバで、予想情報提供端末からの予想情報提供者の情報とホストから取得した取り消し又は除外情報が一致した時、前記予想情報提供端末に該一致した予想情報の提供を停止する通知を行うため、意味を持たない予想情報の販売を防止できる。
【００１９】
（５）：予想情報提供端末からの予想情報提供者の情報と同時に付加価値情報を提供するため、予想情報に抽選ロト、おみくじ情報、豆知識情報、広告情報等の付加価値情報をつけることにより、予想券の持つ価値を向上させることができ、予想情報取得者に複数のサービスを同時に提供することができる。
【発明を実施するための最良の形態】
【００２０】
（１）：予想情報提供システムの概要説明
図１において、本発明の予想情報提供システムには、ホスト（ホストシステム）１ａ、情報集計サーバ２、予想情報入力端末３、予想情報提供端末４ａ、５ａ、ネットワーク６が設けてある。
【００２１】
ホスト１ａは、競馬・競輪・競艇・オートレースなどの公営競技において投票券の発売・支払・オッズ（概算配当率）の表示などを行うコンピュータシステム（トータリゼータシステム）である。情報集計サーバ２は、ホスト１ａ、予想情報入力端末３、予想情報提供端末４ａ、予想情報提供端末５ａ等からの情報を収集し、予想情報を予想情報提供端末４ａと予想情報提供端末５ａに提供するものである。予想情報入力端末３は、予想情報提供者が提供する情報を入力するための入力手段を備えるものである。予想情報提供端末４ａは、情報集計サーバ２とＬＡＮ等で接続され、予想情報を提供する場内に設置された予想情報自動販売端末である。予想情報提供端末５ａは、情報集計サーバ２とネットワーク（又は専用回線）で接続され、予想情報を提供する場外に設置された予想情報自動販売端末である。ネットワーク６は、情報集計サーバ２と予想情報提供端末５ａを接続する専用回線又は広域ネットワーク（例えば、インターネット）である。
【００２２】
（２）：予想情報提供システムの詳細説明
図２は本発明の予想情報提供システムの説明図である。図２において、予想情報提供システムは、トータリゼータシステム１と予想情報入力端末３から入力された予想情報提供者からの情報を管理する情報集計サーバ２と予想情報自動販売端末４とネットワーク６を介した予想情報自動販売端末５とがＬＡＮ等のネットワークで接続されている。
【００２３】
トータリゼータシステム１は、競馬・競輪・競艇・オートレースなどの公営競技において投票券の発売・支払・オッズ（概算配当率）の表示などを行うコンピュータシステム（ホスト）である。情報集計サーバ２は、予想情報の管理・集計処理を行い、開催情報及び予想情報等を格納するものである。
【００２４】
予想情報入力端末３は、開催情報及び予想情報を蓄積し、予想情報の収集のイベント処理、制御処理及び予想情報の入力の制御処理等を行うものである。予想情報自動販売端末４は、予想情報を自動で販売する情報集計サーバ２と接続された競技場内の予想情報提供端末（装置）である。予想情報自動販売端末５は、予想情報を自動で販売する情報集計サーバ２とネットワーク６を介して接続された競技場外の予想情報提供端末（装置）である。ネットワーク６は、情報集計サーバ２と予想情報自動販売端末５を接続する専用回線又は広域ネットワーク（例えば、インターネット）である。
【００２５】
このような予想情報提供システムにおいて、予想情報入力端末３から予想情報提供者が提供した情報とトータリゼータシステム１から取得した開催情報をネットワークを介して情報集計サーバ２に集約する。この集約された情報は、ネットワークを介して遠隔地及び複数箇所の予想情報自動販売端末４、５に送信され蓄積される。この予想情報取得者のタイミングで蓄積された情報を予想情報自動販売端末４、５で販売及び提供する。また、予想情報自動販売端末４、５に蓄積されたステータス情報は、送信スケジュールに沿ってネットワークを介して情報集計サーバ２に集約される。
【００２６】
（３）：情報集計サーバと予想情報自動販売端末の説明
図３は情報集計サーバと予想情報自動販売端末の説明図である。図３において、情報集計サーバ２と予想情報自動販売端末５とトータリゼータシステム（ＴＺＳ）１がネットワーク６を介して接続されている。情報集計サーバ２には、ＣＰＵ１１、格納手段（データベース）１２、通信制御部１３、イベント管理部１４、開催情報取得部１５、付加価値情報抽選部１６、着順シミュレーション機能部１７が設けてある。予想情報自動販売端末５（予想情報自動販売端末４も同じ）には、ＣＰＵ２１、格納手段（データベース）２２、通信制御部２３、イベント管理・制御部２４、画面作成部２５、画面表示部２６、付加価値情報作成部２７、金銭制御部２８、発券・印刷部２９が設けてある。
【００２７】
ＣＰＵ１１は、情報集計サーバ全体の制御を行う中央処理装置である。格納手段１２には、予想屋の情報を格納して管理する予想屋管理部３１、付加価値情報を格納して管理する付加価値情報管理部３２を備えるデータベースである。通信制御部１３は、予想情報自動販売端末５及びトータリゼータシステム（ＴＺＳ）１との通信の制御を行う通信制御手段である。イベント管理部１４は、競技出走取り止め等のイベント（開催情報）の管理を行うものである。開催情報取得部１５は、レースの終了、投票券発売中等の開催情報をトータリゼータシステム（ＴＺＳ）１から取得するものである。付加価値情報抽選部１６は、抽選ロト等の付加価値情報の抽選を行うものである。着順シミュレーション機能部１７は、予想情報提供者からの予想ポイントをシミュレーション（集計）して着順予想を行うものである。
【００２８】
ＣＰＵ２１は、予想情報自動販売端末全体の制御を行う中央処理装置である。格納手段２２には、予想情報を格納する予想情報部４１、予想屋の売上金額等のステータス情報を格納する予想屋売上金額部４２を備えるデータベースである。通信制御部２３は、情報集計サーバ２等との通信の制御を行う通信制御手段である。イベント管理・制御部２４は、情報集計サーバ２からの電文（イベント）を受け取り、内部処理に適した形式に変換して管理するものである。画面作成部２５は、画面表示部に表示する画面を作成するものである。画面表示部２６は、予想情報を販売するための表示手段である。付加価値情報作成部２７は、抽選ロト、おみくじ情報等の付加価値情報を作成するものである。金銭制御部２８は、予想情報の販売金銭の制御（紙幣の取り込みや釣り銭の放出等）を行うものである。発券・印刷部２９は、予想情報の発券（印刷）、予想情報の反映されたマークシートの発券を行うものである。
【００２９】
（４）：予想情報提供システムの動作説明
情報集計サーバ２は、トータリゼータシステム１から開催情報を格納手段に収集する。この集約された情報は情報集計サーバ２から予想情報入力端末３に通知される。予想情報入力端末３から予想情報提供者の情報が情報集計サーバ２に送くられ、情報集計サーバ２の格納手段に格納される。予想情報の販売は、情報集計サーバ２から予想情報がネットワーク６を通して予想情報自動販売端末５に送られ、予想情報自動販売端末５で販売される。予想情報自動販売端末５で販売された売上金額等のステータス情報は、ネットワーク６を通して情報集計サーバ２に送られる。
【００３０】
（情報集計サーバ２の処理の説明）
図４は情報集計サーバの処理フローチャートであり、図４の処理Ｓ１〜Ｓ６に従って説明をする。
【００３１】
Ｓ１：情報集計サーバ２は、トータリゼータシステム１から開催情報等を受信する。
【００３２】
Ｓ２：情報集計サーバ２は、受信した開催情報等を格納手段に反映する（データを書き込む）。
【００３３】
Ｓ３：情報集計サーバ２は、格納手段からデータ（開催情報等）を読み出してイベントとして予想情報入力端末３に送信する。
【００３４】
Ｓ４：情報集計サーバ２は、予想情報入力端末３から予想情報提供者の情報を受信し、格納手段に格納して管理する。
【００３５】
Ｓ５：情報集計サーバ２は、格納手段から予想情報提供者の予想情報をネットワーク６を通して予想情報自動販売端末５に送信する。
【００３６】
Ｓ６：情報集計サーバ２は、予想情報自動販売端末５から販売された予想情報の売上金額等のステータス情報をネットワーク６を通して受信する。
【００３７】
なお、予想情報の販売は、予想情報自動販売端末だけでなく、ネットワークにつながったコンピュータや電話等の通信回線を通して販売することもできる。
【００３８】
このように、公営競技場やその近辺の予想情報提供者が提供する予想情報、お知らせ情報やトータリゼータシステムからの開催情報を情報集計サーバに集約する仕組みを持つため、（従来、公営競技場やその近辺の予想情報提供者の情報は電子データ化されていない、）公営競技場やその近辺の予想情報提供者の情報を電子データ化して販売、提供するため、リアルタイムに情報を提供することができる。
【００３９】
（５）：予想情報を遠隔地又は複数箇所で販売及び提供する場合の説明
現在、公営競技場やその近辺の予想情報提供者の情報は、公営競技場やその近辺の一個所での販売及び提供しかされておらず、予想情報取得者にとって情報取得機会が少なくなっている。本発明の予想情報提供者の情報の販売及び提供をする予想情報提供システムは、予想情報提供者の情報を遠隔地及び複数箇所で販売及び提供出来る仕組みを持っている。
【００４０】
本発明の構成は、情報集計サーバ２で集約された予想情報提供者からの情報をネットワークを介して遠隔地及び複数箇所の予想情報自動出力（販売）端末４、５に送信し、予想情報自動出力端末４、５で出力する手段を有するものである。
【００４１】
本発明の予想情報提供者の情報の販売及び提供をする予想情報提供システムによれば、公営競技場やその近辺の一箇所で販売及び提供されていた予想情報提供者の情報を遠隔地及び複数箇所で販売及び提供することで予想情報取得者の情報取得機会を拡大する効果がある。
【００４２】
（６）：ＩＣカードによる情報購入の説明
金銭のみによる予想情報提供者の情報の販売方法だと予想情報取得者は金銭の用意とお釣りを受け取る必要がある。このため、本発明の予想情報提供者の情報の販売及び提供をする予想情報提供システムでは、予想情報提供者の情報を金銭による販売だけでなく、金銭に代わるものを使用して販売出来る仕組みを持っている。
【００４３】
本発明の構成は、予想情報入力端末３や予想情報自動出力端末４、５にＩＣカードをかざすことにより予想情報提供者の情報を取得及び情報購入ポイント加算ができる手段を有するものである。すなわち、予想情報入力端末３や予想情報自動出力端末４、５に、ＩＣカードに対して非接触でリード／ライトを行える非接触リード／ライト手段（Ｒ／Ｗユニット）を備える。
【００４４】
この本発明の予想情報提供者の情報の販売及び提供をするシステムによれば、金銭のやり取り無しでＩＣカードをかざすだけで、予想情報提供者の情報を取得できるため、予想情報取得者は金銭の用意とお釣りの受け取りを無くす効果がある。
【００４５】
（７）：ステータス情報の集計の説明
販売個所が遠隔地の複数箇所になると、予想情報提供者のステータス情報（販売枚数、売上金額、等）の集計が困難になる。このため、本発明の予想情報提供者の情報の販売及び提供をするシステムでは、情報集計サーバへ予想情報自動出力端末のステータス情報（販売枚数、売上金額等）を送信する仕組みを持っている。
【００４６】
本発明の構成は、予想情報自動出力端末４、５のステータス情報（販売枚数、売上金額等）を随時蓄積し、送信スケジュールに沿って情報集計サーバ２に送信する手段を有するものである。
【００４７】
この本発明の予想情報提供者の情報の販売及び提供をするシステムによれば、予想情報自動出力端末から集計された予想情報自動出力端末のステータス情報（販売枚数、売上金額等）を情報集計サーバに送信することによって遠隔地の複数箇所の予想情報自動出力端末の情報を集計することができ、販売の管理が容易に行える効果がある。
【００４８】
（８）：予想情報の販売停止の説明
従来の公営競技場やその近辺の予想情報提供者の予想情報を取得していた予想情報取得者は、予想情報取得以前では予想情報と除外・取消情報が一致していても判断する手段がなかった。このため、本発明の予想情報提供者の情報の販売及び提供をするシステムでは、予想情報提供者の情報とトータリゼータシステムの開催情報を元に予想情報自動出力端末を制御できる仕組みを持つようにする。
【００４９】
本発明の構成は、予想情報提供者が提供した予想情報と、情報集計サーバ２がトータリゼータシステム１から取得した取消・除外情報が一致した時、ネットワークを介して予想情報自動出力端末４、５に販売及び提供を停止する停止通知を送信する手段を有するものである。
【００５０】
この本発明の予想情報提供者の情報の販売及び提供をするシステムによれば、除外・取消により予想情報が意味を持たないものになった時、予想情報提供者の情報を入手できなくでき、意味を持たない予想情報の販売を防止できる効果がる。
【００５１】
（９）：予想情報に付加価値情報を付ける場合の説明
従来の公営競技場やその近辺の予想情報提供者の情報だと予想情報以外の価値を持たないものであった。本発明の予想情報提供者の情報の販売及び提供をするシステムでは、従来の予想情報提供者の情報の提供だけでなく、予想情報に付加価値情報（抽選ロト、おみくじ情報、豆知識情報、広告情報等）を付ける仕組みを持つものである。
【００５２】
ａ）抽選ロトを設ける場合の説明
予想情報自動出力端末４、５ごとのシーケンシャル番号を使用して抽選番号を作製し、予想情報提供者の情報と一緒に出力する。競技終了後に情報集計サーバ２でランダムに当選番号の抽選を行い、ネットワークを介して予想情報自動出力端末４、５に送信し出力する手段を有するものである。
【００５３】
図５は抽選ロト表示例の説明図である。図５において、２連単と３連単の予想情報とお知らせ情報と下側に付加価値情報である抽選番号が示されている。
【００５４】
ｂ）おみくじ情報を設ける場合の説明
情報集計サーバ２に登録されたおみくじ情報をネットワークを介して予想情報自動出力端末４、５に送信して蓄積し、予想情報自動出力端末４、５で、例えば下記の決められた確率によってランダムに選択し、予想情報提供者の情報と一緒に出力する手段を有するものである。
【００５５】
・おみくじ情報出力確率
大吉：８０％
中吉：１０％
吉  ：６％
小吉：３％
大凶：１％
図６はおみくじ情報表示例の説明図である。図６において、表面に２連単と３連単の予想情報とお知らせ情報が出力され、裏面に付加価値情報であるおみくじ情報が出力されている。
【００５６】
ｃ）豆知識情報を設ける場合の説明
情報集計サーバ２に登録された豆知識情報をネットワークを介して予想情報自動出力端末４、５に送信して蓄積し、予想情報自動出力端末４、５でランダムに選択し、予想情報提供者の情報と一緒に出力する手段を有するものである。また、特別状況のみ出力される豆知識情報を付加する手段を有するものである。
【００５７】
図７は豆知識表示例の説明図である。図７において、表面に２連単と３連単の予想情報とお知らせ情報が出力され、裏面には付加価値情報である豆知識情報（「はみ」）が出力されている。
【００５８】
ｄ）広告情報を設ける場合の説明
情報集計サーバ２に登録された広告情報をネットワークを介して予想情報自動出力端末４、５に送信して蓄積し、予想情報自動出力端末４、５で予想情報提供者の情報と一緒に出力する手段を有するものである。
【００５９】
図８は広告情報表示例の説明図である。図８において、表面に２連単と３連単の予想情報とお知らせ情報が出力され、裏面に付加価値情報である広告情報（開催案内）が出力されている。
【００６０】
このような、本発明の予想情報の販売及び提供をするシステムによれば、予想情報に付加価値情報（抽選ロト、おみくじ情報、豆知識情報、広告情報、等）をつけることにより、予想券の持つ価値を向上させることが出来、予想情報取得者に複数のサービスを同時に提供できる効果がある。
【００６１】
（１０）：予想情報の反映されたマークシートを発券する場合の説明
現在、公営競技場やその付近の予想情報提供者の情報は紙による記載になっている。予想情報取得者は予想情報取得後、マークシートに購入番組を記載するため手間のかかるものになっており、締切間際に予想情報を取得すると投票券を購入する機会がなくなる可能性が非常に高くなるものであった。
【００６２】
本発明の予想情提供者の情報の販売及び提供をするシステムでは、従来の予想情報提供者の予想情報を出力した予想券のみではなく、予想情報の反映されたマークシートを発券する仕組みを持つようにする。
【００６３】
本発明の構成は、情報集計サーバ２の予想情報提供者からの情報をネットワークを介して予想情報自動出力端末４、５に送信し、予想情報自動出力端末４、５でマークシートに出力する手段を有するものである。
【００６４】
『予想マークシート出力表示概要』
予想情報取得者は予想情報自動出力端末で下記の入力を行う。
【００６５】
・式別
・レース番号
裏表表示の『＝』が存在する場合は裏表の両方をマークシートに出力する。
【００６６】
従来の予想情報提供者の情報が以下のように変換されマークシートに購入組番が出      力される。
【００６７】
三連単例）１＝２−３              １−２−３    ２−１−３
−４      ⇒      １−２−４    ２−１−４
−５              １−２−５    ２−１−５
二単例）  １＝２−３              １−２
−４      ⇒      ２−１
−５
単勝例）  １＝２−３              １
−４      ⇒      ２
−５
図９は予想マークシート出力例の説明図である。図９において、予想情報自動出力端末５にレース番号と式別を選択の入力を行うと、マークシートが出力される。図９には、２連単予想マークシートと３連複予想マークシートの出力例が示されている。
【００６８】
このように、本発明の予想情報の販売及び提供をするシステムによれば、予想情報取得者は予想情報取得後、マークシートへの記載の手間を省く事が出来るので投票券購入機会を拡大できる効果がある。
【００６９】
（１１）：着順による予想情報の提供の説明
現在の予想情報は、賭式が固定されており組番に特化した予想情報提供を行っており予想情報取得者にとっては要望通りの賭式を得ることが出来ないため、購入賭式に対応させるのが困難な場合があった。また、新賭式にも対応できないものであった。
【００７０】
本発明の予想情報提供者の情報の販売及び提供をするシステムでは、従来の予想情報のように購入組番による予想情報の提供だけでなく、新たな提供方式として着順による予想情報の提供方式の仕組みを持つようにする。
【００７１】
この本発明の構成は、予想情報提供者からの予想ポイントを情報集計サーバ２で着順予想に変換し、ネットワークを介して予想情報自動出力端末４、５に送信し、出力する手段を有するものである。
【００７２】
『着順予想出力概要』
着順予想を行うには下記の情報が必要である。
【００７３】
・予想情報提供者の競走馬（選手）へのポイント
◎：１０ポイント
○：７ポイント
×：５ポイント
▲：２ポイント
△：１ポイント
・一般ファンの人気ポイント
１番人気：３ポイント
２〜５番人気：２ポイント
６〜１０番人気：１ポイント
１１〜１６番人気：０ポイント
予想情報提供者のポイントと一般ファンの人気ポイントの合計が大きいほど上位着順になる。合計ポイントが一緒の場合は予想情報提供者のポイントが大きいほうが上位着順になる。
【００７４】
図１０は着順予想出力の説明図である。図１０において、予想情報入力端末３からの予想情報提供者の◎、○、×等の予想情報を情報集計サーバ２で予想ポイントに変換する。トータリゼータシステム１からの人気情報（投票券の発売額等で決まる）を情報集計サーバ２で予想ポイントに変換する。情報集計サーバ２では、変換したそれぞれの予想ポイントを集計し、合計ポイントにより着順の予想を行う。この着順予想は、場内の予想情報自動販売端末４及びネットワーク６を介して場外の予想情報自動販売端末５に送信され、予想情報自動販売端末４、５で、着順予想の出力（販売）が行われる。
【００７５】
このように、従来の予想券は購入組番の提供のため、予想の通りに購入することが多かったが、本発明の予想情報の販売及び提供をするシステムでは着順予想が取得できるため、賭式にとらわれない購入を可能とし、新賭式にも対応できる効果がある。
【００７６】
（１２）：プログラムインストールの説明
通信制御部１３、イベント管理部１４、開催情報取得部１５、付加価値情報抽選部１６、着順シミュレーション機能部１７、通信制御部２３、イベント管理・制御部２４、画面作成部２５、画面表示部２６、付加価値情報作成部２７、金銭制御部２８、発券・印刷部２９、予想屋管理部３１、付加価値情報管理部３２、予想情報部４１、予想屋売上金額部４２等はプログラムで構成でき、主制御部（ＣＰＵ）が実行するものであり、主記憶に格納されているものである。このプログラムは、コンピュータで処理されるものである。このコンピュータは、主制御部、主記憶、ファイル装置、表示装置等の出力装置、入力装置、非接触型Ｒ／Ｗ部などのハードウェアで構成されている。
【００７７】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。
【００７８】
〔以下付記を記載する〕
（付記１）  公営競技情報を蓄積するホストからの競技の開催情報と予想情報提供者からの予想情報とを集約する情報集計サーバと、
前記情報集計サーバと接続され予想情報提供者の予想情報を提供する予想情報提供端末を備えることを特徴とする予想情報提供システム。
【００７９】
（付記２）  前記予想情報提供端末を遠隔地又は複数箇所に設けて予想情報提供者の情報を提供することを特徴とする付記１記載の予想情報提供システム。
【００８０】
（付記３）  前記予想情報提供端末にＩＣカードを非接触でリード／ライトを行う非接触型Ｒ／Ｗ手段を備え、
前記非接触型Ｒ／Ｗ手段でＩＣカードをリード／ライトして予想情報提供者の情報を提供することを特徴とする付記１又は２記載の予想情報提供システム。
【００８１】
（付記４）  前記予想情報提供端末のステータス情報を前記情報集計サーバへ送信することを特徴とする付記１〜３のいずれかに記載の予想情報提供システム。
【００８２】
（付記５）  前記情報集計サーバは、前記予想情報提供端末からの予想情報提供者の情報と前記ホストから取得した取り消し又は除外情報が一致した時、前記予想情報提供端末に該一致した予想情報の提供を停止する通知を行うことを特徴とする付記１〜４のいずれかに記載の予想情報提供システム。
【００８３】
（付記６）  前記予想情報提供端末からの予想情報提供者の情報と同時に付加価値情報を提供することを特徴とする付記１〜５のいずれかに記載の予想情報提供システム。
【００８４】
（付記７）  前記予想情報提供端末から予想情報提供者の予想情報が反映されたマークシートを提供することを特徴とする付記１〜６のいずれかに記載の予想情報提供システム。
【００８５】
（付記８）  前記情報集計サーバは、予想情報提供者からの予想情報を着順予想に変換して前記予想情報提供端末に送信することを特徴とする付記１〜７のいずれかに記載の予想情報提供システム。
【００８６】
（付記９）  公営競技情報を蓄積するホストからの競技の開催情報と予想情報提供者からの予想情報とを集約して格納する手順と、
該集約して格納した予想情報提供者の予想情報を、予想情報を提供する予想情報提供端末に送信する手順とをコンピュータに実行させるためのプログラム又はプログラムを記載した記録媒体。
【図面の簡単な説明】
【００８７】
【図１】本発明の原理説明図である。
【図２】本発明の予想情報提供システムの説明図である。
【図３】本発明の情報集計サーバと予想情報自動販売端末の説明図である。
【図４】本発明の情報集計サーバの処理フローチャートである。
【図５】本発明の抽選ロト表示例の説明図である。
【図６】本発明のおみくじ情報表示例の説明図である。
【図７】本発明の豆知識表示例の説明図である。
【図８】本発明の広告情報表示例の説明図である。
【図９】本発明の予想マークシート出力例の説明図である。
【図１０】本発明の着順予想出力の説明図である。
【符号の説明】
【００８８】
１ａ  ホスト
２  情報集計サーバ
３  予想情報入力端末
４ａ、５ａ  予想情報提供端末
６  ネットワーク
【図１】
2006085532.tif 000003
【図２】
2006085532.tif 000004
【図３】
2006085532.tif 000005
【図４】
2006085532.tif 000006
【図５】
2006085532.tif 000007
【図６】
2006085532.tif 000008
【図７】
2006085532.tif 000009
【図８】
2006085532.tif 000010
【図９】
2006085532.tif 000011
【図１０】
2006085532.tif 000012